(57)【特許請求の範囲】
【請求項１】
吊籠を含み、
前記吊籠の中には動力空間が設置され、前記吊籠の中には建材を収納できる倉庫が設置され、前記倉庫は左方に開口し、かつ前記動力空間の上側に位置し、前記動力空間の中には位置固定装置が設置され、前記位置固定装置は前記吊籠を指定高度に止めることができ、前記動力空間の中には落下防止装置が設置され、前記落下防止装置は前記位置固定装置の前側に位置し、前記落下防止装置は前記動力空間の中に設置された推動ブロックと摺動筒と、前記摺動筒に固定的に連結されたラチェットとを含み、前記吊籠が落下するときに、前記推動ブロックは慣性で上方へ移動し、かつ前記摺動筒を押して移動させ、前記ラチェットに対する位置制限を解除し、前記ラチェットは前記位置固定装置を駆動して作動させ、落下防止機能を果たし、
前記動力空間の左右両側端面には中心対称の四つの緊急制動装置が固定的に連結され、前記緊急制動装置は前記動力空間の左側または右側端面に固定的に設置された制動箱を含み、前記制動箱の中には制動空間が設置され、前記制動空間の中には左右対称の二本の制動棒が設置され、前記制動棒において対称中心に近接する一端には制動ブロックが固定的に連結され、前記緊急制動装置は前記制動棒で前記制動ブロックを駆動して対称中心に近接する側へ移動させ、落下時の減速制動を可能にし、前記動力空間の中には前記位置固定装置の左上側に位置する連動装置が設置され、前記連動装置は前記位置固定装置によって制御されることができ、かつ前記位置固定装置に動力を伝達でき、前記動力空間の中には前記連動装置の上側に位置する保険装置が設置され、前記保険装置は前記吊籠の昇降を制限できることを特徴とする建材用リフトの安全型位置固定設備。
【請求項２】
前記吊籠の外には昇降塔が設置され、前記昇降塔は前記吊籠を昇降させることができ、前記昇降塔と前記位置固定装置とが協働することで、前記吊籠の位置固定を可能にし、前記昇降塔には四本の昇降棒が固定的に連結され、四本の前記昇降棒は上下方向に延在し、かつそれぞれ各前記緊急制動装置を貫通することを特徴とする請求項１に記載の建材用リフトの安全型位置固定設備。
【請求項３】
前記位置固定装置は前後方向に延在するモータ軸を含み、前記モータ軸は前記動力空間の前側内壁に回転可能に連結され、前記モータ軸にはモータが伝動可能に連結され、前記モータは前記動力空間の後側内壁に固定的に連結され、前記モータ軸にはＶ型プーリが固定的に連結され、前記Ｖ型プーリは前記モータの前側に位置し、前記モータ軸にはカムが固定的に連結され、前記カムは前記Ｖ型プーリの前側に位置し、前記モータ軸には一本のスプライン軸が設置され、前記スプライン軸は前記カムの前側に位置し、前記動力空間の下側内壁には推力ばねが固定的に連結され、前記推力ばねは前記カムの下側に位置し、前記推力ばねの上端には前記カムと当接する円錐盤が固定的に連結され、
前記動力空間の下側内壁には左右対称の二本の位置固定棒が摺動可能に連結され、二本の前記位置固定棒において対称中心から離れた一端は前記動力空間の端面外に延在し、前記動力空間の下側内壁には前後対称の二本の位置固定短棒が摺動可能に連結され、二本の前記位置固定短棒において対称中心から離れた一端は前記動力空間の端面外に延在し、前記位置固定短棒と前記位置固定棒とにおいて対称中心に近接する一端はいずれも前記円錐盤と当接でき、前記位置固定短棒と前記位置固定棒とにおいて対称中心から離れた一端には復位ブロックが固定的に連結され、前記復位ブロックは前記動力空間の中に位置し、前記復位ブロックと前記動力空間の内壁との間にはばねが連結されていることを特徴とする請求項１に記載の建材用リフトの安全型位置固定設備。
【請求項４】
前記緊急制動装置は左右対称の二つ滑車台を含み、二つの前記滑車台は前記制動箱の下側端面に固定的に連結され、前記滑車台において対称中心に近接する一端には滑車が回転可能に連結され、前記滑車は前記昇降棒と摺動可能に連結され、前記制動空間の前側内壁には水平移動ブロックが摺動可能に連結され、前記水平移動ブロックの後側端面には左右対称の二本の回転棒がヒンジで連結され、前記回転棒において対称中心から離れた一端には回転ブロックがヒンジで連結され、前記回転ブロックには摺動棒が摺動可能に連結され、前記摺動棒の下端は前記制動棒と固定的に連結され、前記制動ブロックは前記昇降棒と当接することで、減速制動機能を果たし、
前記制動空間の左右両側内壁には左右方向に延在する摺動軸が固定的に連結され、前記摺動軸は前記制動棒と摺動可能に連結され、左右両側の前記制動棒において対称中心から離れた一端と前記制動空間の左右両側内壁との間にはそれぞれ圧縮ばねが連結され、前記水平移動ブロックの後側端面には横棒が固定的に連結され、前記横棒は二本の前記回転棒の間に位置し、前記横棒には固定軸が固定的に連結され、前記固定軸には楕円ブロックが摺動可能に連結され、前記固定軸には位置制限ブロックが固定的に連結され、前記位置制限ブロックは前記楕円ブロックの上側に位置し、前記位置制限ブロックと前記楕円ブロックとの間には軽量ばねが連結され、前記回転棒には連結棒がヒンジで連結され、前記連結棒は前記回転ブロックにおいて対称中心に近接する側に位置し、前記連結棒において対称中心に近接する一端には推動棒が固定的に連結され、前記推動棒は前記楕円ブロックと当接でき、前記連結棒の上端にはハウジング連結棒がヒンジで連結され、前記ハウジング連結棒の上端と前記制動空間の上側内壁とは回転可能に連結され、前記滑車と前記昇降棒とが協働することで前記吊籠の昇降をより安定にさせられ、前記軽量ばねの作用のもとで、前記吊籠が正常に昇降するときに、前記楕円ブロックを駆動して上下に移動させることができないことを特徴とする請求項２に記載の建材用リフトの安全型位置固定設備。
【請求項５】
前記連動装置は前記倉庫の前側内壁に回転可能に連結されたプーリ軸を含み、前記プーリ軸は後方へ前記倉庫の端面外に延在し、前記プーリ軸には吊籠門が固定的に連結され、前記吊籠門は前記倉庫の開口部に位置し、前記プーリ軸には前記吊籠門の後側に位置するプーリが固定的に連結され、前記プーリは前記動力空間の中に位置し、前記プーリと前記Ｖ型プーリとの間にはＶ型ベルトが連結され、前記プーリ軸には前記プーリの後側に位置するクランクが固定的に連結され、前記クランクには摺動ピンが固定的に連結され、前記動力空間の後側内壁にはレバーが回転可能に連結され、前記レバーは前記クランクの後側に位置し、前記レバーには摺動溝が前後貫通するように形成され、前記摺動溝は前記摺動ピンと摺動可能に連結されていることを特徴とする請求項３に記載の建材用リフトの安全型位置固定設備。
【請求項６】
前記保険装置は摺動台を含み、前記摺動台は前記動力空間の左側内壁に固定的に連結され、かつ前記倉庫の後側に位置し、前記動力空間の後側内壁には前後方向に延在する滑車軸が回転可能に連結され、前記滑車軸は前記摺動台の右側に位置し、前記滑車軸には第二滑車が固定的に連結され、前記第二滑車にはロープが巻かれ、前記ロープは前記動力空間の上側端面外に延在し、前記摺動台には摺動ブロックが摺動可能に連結され、前記摺動ブロックと前記動力空間の左側内壁との間には復位ばねが連結され、前記摺動ブロックの前側端面には円柱ピンが固定的に連結され、前記円柱ピンは前記レバーの上端と当接でき、前記摺動ブロックの右側端面には爪が固定的に連結され、前記爪は前記摺動台と摺動可能に連結され、前記爪の上側端面には前後対称の二本のコンロッドがヒンジで連結され、前記コンロッドの右端には挟持棒がヒンジで連結され、二本の前記挟持棒の中部は一点にヒンジで連結され、かついずれも前記動力空間の上側内壁と回転可能に連結され、前記挟持棒の右端には停止ブロックが固定的に連結され、前記停止ブロックは前記ロープと当接して前記ロープの移動を制限できることを特徴とする請求項５に記載の建材用リフトの安全型位置固定設備。
【請求項７】
運搬員が前記倉庫から建材を運び出すとき、前記停止ブロックは前記ロープの移動を制限することで、前記吊籠の昇降を制限し、リフト操縦員の誤操作による運搬員の死傷を有効的に避けられることを特徴とする請求項６に記載の建材用リフトの安全型位置固定設備。
【請求項８】
前記落下防止装置は突起台を含み、前記突起台は前記動力空間の前側内壁に固定的に連結され、かつ前記モータ軸の下側に位置し、前記突起台には固定筒が固定的に連結され、前記推動ブロックと前記固定筒の内壁とは摺動可能に連結され、前記推動ブロックと前記固定筒の下側内壁との間には引張ばねが連結され、前記摺動筒と前記モータ軸とは摺動可能に連結され、前記摺動筒は前記スプライン軸とスプラインで連結することができ、前記摺動筒には前記ラチェットの前側に位置する固定リングが固定的に連結され、前記ラチェットと前記固定リングとの間には捻りばねが連結され、前記動力空間の前側内壁にはラチェット棒が固定的に連結され、前記ラチェット棒は前記モータ軸の上側に位置し、かつ前記ラチェットと当接でき、前記引張ばねの作用のもとで、前記吊籠が正常に昇降するときに、前記推動ブロックを駆動して上下に移動させることができないことを特徴とする請求項３に記載の建材用リフトの安全型位置固定設備。
【発明の詳細な説明】
【技術分野】
【０００１】
本願発明は建材用リフト技術分野を取り上げ、特に建材用リフトの安全型位置固定設備に関わる。
【背景技術】
【０００２】
リフトとは、ポテンシャルエネルギーを変えて運搬を行う大型マシンであり、たとえば、坑道リフトや水門リフトなど、広い意味では、エレベーター・天井クレーン・ウインチ・クレーン車などすべてがリフトと呼べる。リフトは一般的にパワーと昇降力とが強い大型マシンのことを指す。建築業の発展につれ、リフトは広く応用され、特に建材の運搬作業においてリフトの使用は作業効率を大幅に向上させられる。しかし、リフトは動力機械で柔軟性を有するワイヤーを引き動かすことで運搬を可能にするため、リフトを使用する際に、とくに建材用リフトを使用する際に、上昇高度の変化につれ、リフトの安定性は低下し、固定して使用するときに、偏移と傾倒は発生しやすく、極めて非安全的であり、事故が引き起こしやすい。本願発明は上記の問題を解決できる設備である。
【先行技術文献】
【特許文献】
【０００３】
【特許文献１】中国特許出願公開第１０６１８４７９７号明細書
【発明の概要】
【発明が解決しようとする課題】
【０００４】
建材用リフトは安定性が悪く、固定して使用するときに、偏移と傾倒は発生しやすく、極めて非安全的であり、事後が引き起こしやすい。
【課題を解決するための手段】
【０００５】
上記の問題を解決するため、本願は建材用リフトの安全型位置固定設備を設計し、本願発明の建材用リフトの安全型位置固定設備は、吊籠を含み、前記吊籠の中には動力空間が設置され、前記吊籠の中には建材を収納できる倉庫が設置され、前記倉庫は左方に開口し、かつ前記動力空間の上側に位置し、前記動力空間の中には位置固定装置が設置され、前記位置固定装置は前記吊籠を指定高度に止めることができ、前記動力空間の中には落下防止装置が設置され、前記落下防止装置は前記位置固定装置の前側に位置し、前記落下防止装置は前記動力空間の中に設置された推動ブロックと摺動筒と、前記摺動筒に固定的に連結されたラチェットとを含み、前記吊籠が落下するときに、前記推動ブロックは慣性で上方へ移動し、かつ前記摺動筒を押して移動させ、前記ラチェットに対する位置制限を解除し、前記ラチェットは前記位置固定装置を駆動して作動させ、落下防止機能を果たし、前記動力空間の左右両側端面には中心対称の四つの緊急制動装置が固定的に連結され、前記緊急制動装置は前記動力空間の左側または右側端面に固定的に設置された制動箱を含み、前記制動箱の中には制動空間が設置され、前記制動空間の中には左右対称の二本の制動棒が設置され、前記制動棒において対称中心に近接する一端には制動ブロックが固定的に連結され、前記緊急制動装置は前記制動棒で前記制動ブロックを駆動して対称中心に近接する側へ移動させ、落下時の減速制動を可能にし、前記動力空間の中には前記位置固定装置の左上側に位置する連動装置が設置され、前記連動装置は前記位置固定装置によって制御されることができ、かつ前記位置固定装置に動力を伝達でき、前記動力空間の中には前記連動装置の上側に位置する保険装置が設置され、前記保険装置は前記吊籠の昇降を制限できる。
【０００６】
好適な技術的プランとして、前記吊籠の外には昇降塔が設置され、前記昇降塔は前記吊籠を昇降させることができ、前記昇降塔と前記位置固定装置とが協働することで、前記吊籠の位置固定を可能にし、前記昇降塔には四本の昇降棒が固定的に連結され、四本の前記昇降棒は上下方向に延在し、かつそれぞれ各前記緊急制動装置を貫通する。
【０００７】
前記位置固定装置は前後方向に延在するモータ軸を含み、前記モータ軸は前記動力空間の前側内壁に回転可能に連結され、前記モータ軸にはモータが伝動可能に連結され、前記モータは前記動力空間の後側内壁に固定的に連結され、前記モータ軸にはＶ型プーリが固定的に連結され、前記Ｖ型プーリは前記モータの前側に位置し、前記モータ軸にはカムが固定的に連結され、前記カムは前記Ｖ型プーリの前側に位置し、前記モータ軸には一本のスプライン軸が設置され、前記スプライン軸は前記カムの前側に位置し、前記動力空間の下側内壁には推力ばねが固定的に連結され、前記推力ばねは前記カムの下側に位置し、前記推力ばねの上端には前記カムと当接する円錐盤が固定的に連結され、前記動力空間の下側内壁には左右対称の二本の位置固定棒が摺動可能に連結され、二本の前記位置固定棒において対称中心から離れた一端は前記動力空間の端面外に延在し、前記動力空間の下側内壁には前後対称の二本の位置固定短棒が摺動可能に連結され、二本の前記位置固定短棒において対称中心から離れた一端は前記動力空間の端面外に延在し、前記位置固定短棒と前記位置固定棒とにおいて対称中心に近接する一端はいずれも前記円錐盤と当接でき、前記位置固定短棒と前記位置固定棒とにおいて対称中心から離れた一端には復位ブロックが固定的に連結され、前記復位ブロックは前記動力空間の中に位置し、前記復位ブロックと前記動力空間の内壁との間にはばねが連結されている。
【０００８】
前記緊急制動装置は左右対称の二つ滑車台を含み、二つの前記滑車台は前記制動箱の下側端面に固定的に連結され、前記滑車台において対称中心に近接する一端には滑車が回転可能に連結され、前記滑車は前記昇降棒と摺動可能に連結され、前記制動空間の前側内壁には水平移動ブロックが摺動可能に連結され、前記水平移動ブロックの後側端面には左右対称の二本の回転棒がヒンジで連結され、前記回転棒において対称中心から離れた一端には回転ブロックがヒンジで連結され、前記回転ブロックには摺動棒が摺動可能に連結され、前記摺動棒の下端は前記制動棒と固定的に連結され、前記制動ブロックは前記昇降棒と当接することで、減速制動機能を果たし、前記制動空間の左右両側内壁には左右方向に延在する摺動軸が固定的に連結され、前記摺動軸は前記制動棒と摺動可能に連結され、左右両側の前記制動棒において対称中心から離れた一端と前記制動空間の左右両側内壁との間にはそれぞれ圧縮ばねが連結され、前記水平移動ブロックの後側端面には横棒が固定的に連結され、前記横棒は二本の前記回転棒の間に位置し、前記横棒には固定軸が固定的に連結され、前記固定軸には楕円ブロックが摺動可能に連結され、前記固定軸には位置制限ブロックが固定的に連結され、前記位置制限ブロックは前記楕円ブロックの上側に位置し、前記位置制限ブロックと前記楕円ブロックとの間には軽量ばねが連結され、前記回転棒には連結棒がヒンジで連結され、前記連結棒は前記回転ブロックにおいて対称中心に近接する側に位置し、前記連結棒において対称中心に近接する一端には推動棒が固定的に連結され、前記推動棒は前記楕円ブロックと当接でき、前記連結棒の上端にはハウジング連結棒がヒンジで連結され、前記ハウジング連結棒の上端と前記制動空間の上側内壁とは回転可能に連結され、前記滑車と前記昇降棒とが協働することで前記吊籠の昇降をより安定にさせられ、前記軽量ばねの作用のもとで、前記吊籠が正常に昇降するときに、前記楕円ブロックを駆動して上下に移動させることができない。
【０００９】
前記連動装置は前記倉庫の前側内壁に回転可能に連結されたプーリ軸を含み、前記プーリ軸は後方へ前記倉庫の端面外に延在し、前記プーリ軸には吊籠門が固定的に連結され、前記吊籠門は前記倉庫の開口部に位置し、前記プーリ軸には前記吊籠門の後側に位置するプーリが固定的に連結され、前記プーリは前記動力空間の中に位置し、前記プーリと前記Ｖ型プーリとの間にはＶ型ベルトが連結され、前記プーリ軸には前記プーリの後側に位置するクランクが固定的に連結され、前記クランクには摺動ピンが固定的に連結され、前記動力空間の後側内壁にはレバーが回転可能に連結され、前記レバーは前記クランクの後側に位置し、前記レバーには摺動溝が前後貫通するように形成され、前記摺動溝は前記摺動ピンと摺動可能に連結されている。
【００１０】
前記保険装置は摺動台を含み、前記摺動台は前記動力空間の左側内壁に固定的に連結され、かつ前記倉庫の後側に位置し、前記動力空間の後側内壁には前後方向に延在する滑車軸が回転可能に連結され、前記滑車軸は前記摺動台の右側に位置し、前記滑車軸には第二滑車が固定的に連結され、前記第二滑車にはロープが巻かれ、前記ロープは前記動力空間の上側端面外に延在し、前記摺動台には摺動ブロックが摺動可能に連結され、前記摺動ブロックと前記動力空間の左側内壁との間には復位ばねが連結され、前記摺動ブロックの前側端面には円柱ピンが固定的に連結され、前記円柱ピンは前記レバーの上端と当接でき、前記摺動ブロックの右側端面には爪が固定的に連結され、前記爪は前記摺動台と摺動可能に連結され、前記爪の上側端面には前後対称の二本のコンロッドがヒンジで連結され、前記コンロッドの右端には挟持棒がヒンジで連結され、二本の前記挟持棒の中部は一点にヒンジで連結され、かついずれも前記動力空間の上側内壁と回転可能に連結され、前記挟持棒の右端には停止ブロックが固定的に連結され、前記停止ブロックは前記ロープと当接して前記ロープの移動を制限できる。
【００１１】
好適な技術的プランとして、運搬員が前記倉庫から建材を運び出すとき、前記停止ブロックは前記ロープの移動を制限することで、前記吊籠の昇降を制限し、リフト操縦員の誤操作による運搬員の死傷を有効的に避けられる。
【００１２】
前記落下防止装置は突起台を含み、前記突起台は前記動力空間の前側内壁に固定的に連結され、かつ前記モータ軸の下側に位置し、前記突起台には固定筒が固定的に連結され、前記推動ブロックと前記固定筒の内壁とは摺動可能に連結され、前記推動ブロックと前記固定筒の下側内壁との間には引張ばねが連結され、前記摺動筒と前記モータ軸とは摺動可能に連結され、前記摺動筒は前記スプライン軸とスプラインで連結することができ、前記摺動筒には前記ラチェットの前側に位置する固定リングが固定的に連結され、前記ラチェットと前記固定リングとの間には捻りばねが連結され、前記動力空間の前側内壁にはラチェット棒が固定的に連結され、前記ラチェット棒は前記モータ軸の上側に位置し、かつ前記ラチェットと当接でき、前記引張ばねの作用のもとで、前記吊籠が正常に昇降するときに、前記推動ブロックを駆動して上下に移動させることができない。
【発明の効果】
【００１３】
本願発明は以下のプラス効果を有する：本願発明は緊急制動機構と昇降塔に固定された昇降鋼管との協働で、吊籠が昇降するときの偏移を制限し、吊籠の傾倒を避け、リフトが作動するときの安定性を向上させ、連動保険装置は吊籠門が開けたあとに、自動的にワイヤーの移動を制限でき、かつ吊籠の昇降を制限でき、そのため、有効的にリフトの誤作動による運搬員の死傷を避けられ、ワイヤーが折れたあと、緊急制動機構は昇降鋼管を固定することで制動を可能にし、同時に落下防止機能は位置固定装置を強制的に作動させ、吊籠がさらに落下することを避け、明らかに、本願発明はリフトの安定性と安全性を向上させられる。
【図面の簡単な説明】
【００１４】
下記に図１〜６を合わせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本願発明の全体構成略図
【図２】図２は図１におけるＡ―Ａ方向からの構成略図
【図３】図３は図１におけるＢ―Ｂ方向からの構成略図
【図４】図４は図１におけるＣ―Ｃ方向からの構成略図
【図５】図５は図１におけるＤ部の構成拡大略図
【図６】図６は図５におけるＥ―Ｅ方向からの構成略図
【発明を実施するための形態】
【００１６】
本願発明は建材用リフトの安全型位置固定設備を取り上げ、主に安全に建材用リフトの位置を固定することに応用され、以下に図面を合わせて本願発明についてさらなる説明を行う。
【００１７】
本願発明の建材用リフトの安全型位置固定設備は、吊籠１１を含み、前記吊籠１１の中には動力空間１２が設置され、前記吊籠１１の中には建材を収納できる倉庫７１が設置され、前記倉庫７１は左方に開口し、かつ前記動力空間１２の上側に位置し、前記動力空間１２の中には位置固定装置１０１が設置され、前記位置固定装置１０１は前記吊籠１１を指定高度に止めることができ、前記動力空間１２の中には落下防止装置１０５が設置され、前記落下防止装置１０５は前記位置固定装置１０１の前側に位置し、前記落下防止装置１０５は前記動力空間１２の中に設置された推動ブロック４９と摺動筒４８と、前記摺動筒４８に固定的に連結されたラチェット４４とを含み、前記吊籠１１が落下するときに、前記推動ブロック４９は慣性で上方へ移動し、かつ前記摺動筒４８を押して移動させ、前記ラチェット４４に対する位置制限を解除し、前記ラチェット４４は前記位置固定装置１０１を駆動して作動させ、落下防止機能を果たし、前記動力空間１２の左右両側端面には中心対称の四つの緊急制動装置１０２が固定的に連結され、前記緊急制動装置１０２は前記動力空間１２の左側または右側端面に固定的に設置された制動箱３８を含み、前記制動箱３８の中には制動空間３９が設置され、前記制動空間３９の中には左右対称の二本の制動棒７０が設置され、前記制動棒７０において対称中心に近接する一端には制動ブロック６１が固定的に連結され、前記緊急制動装置１０２は前記制動棒７０で前記制動ブロック６１を駆動して対称中心に近接する側へ移動させ、落下時の減速制動を可能にし、前記動力空間１２の中には前記位置固定装置１０１の左上側に位置する連動装置１０３が設置され、前記連動装置１０３は前記位置固定装置１０１によって制御されることができ、かつ前記位置固定装置１０１に動力を伝達でき、前記動力空間１２の中には前記連動装置１０３の上側に位置する保険装置１０４が設置され、前記保険装置１０４は前記吊籠１１の昇降を制限できる。
【００１８】
好ましくは、前記吊籠１１の外には昇降塔７２が設置され、前記昇降塔７２は前記吊籠１１を昇降させることができ、前記昇降塔７２と前記位置固定装置１０１とが協働することで、前記吊籠１１の位置固定を可能にし、前記昇降塔７２には四本の昇降棒３７が固定的に連結され、四本の前記昇降棒３７は上下方向に延在し、かつそれぞれ各前記緊急制動装置１０２を貫通する。
【００１９】
実施例に基づき、以下に位置固定装置１０１について詳しく説明し、
前記位置固定装置１０１は前後方向に延在するモータ軸１７を含み、前記モータ軸１７は前記動力空間１２の前側内壁に回転可能に連結され、前記モータ軸１７にはモータ７３が伝動可能に連結され、前記モータ７３は前記動力空間１２の後側内壁に固定的に連結され、前記モータ軸１７にはＶ型プーリ４０が固定的に連結され、前記Ｖ型プーリ４０は前記モータ７３の前側に位置し、前記モータ軸１７にはカム１６が固定的に連結され、前記カム１６は前記Ｖ型プーリ４０の前側に位置し、前記モータ軸１７には一本のスプライン軸４３が設置され、前記スプライン軸４３は前記カム１６の前側に位置し、前記動力空間１２の下側内壁には推力ばね１４が固定的に連結され、前記推力ばね１４は前記カム１６の下側に位置し、前記推力ばね１４の上端には前記カム１６と当接する円錐盤１５が固定的に連結され、前記動力空間１２の下側内壁には左右対称の二本の位置固定棒１３が摺動可能に連結され、二本の前記位置固定棒１３において対称中心から離れた一端は前記動力空間１２の端面外に延在し、前記動力空間１２の下側内壁には前後対称の二本の位置固定短棒７４が摺動可能に連結され、二本の前記位置固定短棒７４において対称中心から離れた一端は前記動力空間１２の端面外に延在し、前記位置固定短棒７４と前記位置固定棒１３とにおいて対称中心に近接する一端はいずれも前記円錐盤１５と当接でき、前記位置固定短棒７４と前記位置固定棒１３とにおいて対称中心から離れた一端には復位ブロック７６が固定的に連結され、前記復位ブロック７６は前記動力空間１２の中に位置し、前記復位ブロック７６と前記動力空間１２の内壁との間にはばね７５が連結され、前記位置固定装置１０１は前記位置固定短棒７４と前記位置固定棒１３とを通じて前記昇降塔７２と当接し、前記吊籠１１の降下を制限して位置を固定できる。
【００２０】
実施例に基づき、以下に緊急制動装置１０２について詳しく説明し、
前記緊急制動装置１０２は左右対称の二つ滑車台６２を含み、二つの前記滑車台６２は前記制動箱３８の下側端面に固定的に連結され、前記滑車台６２において対称中心に近接する一端には滑車６３が回転可能に連結され、前記滑車６３は前記昇降棒３７と摺動可能に連結され、前記制動空間３９の前側内壁には水平移動ブロック６４が摺動可能に連結され、前記水平移動ブロック６４の後側端面には左右対称の二本の回転棒５８がヒンジで連結され、前記回転棒５８において対称中心から離れた一端には回転ブロック５７がヒンジで連結され、前記回転ブロック５７には摺動棒５６が摺動可能に連結され、前記摺動棒５６の下端は前記制動棒７０と固定的に連結され、前記制動ブロック６１は前記昇降棒３７と当接することで、減速制動機能を果たし、前記制動空間３９の左右両側内壁には左右方向に延在する摺動軸６０が固定的に連結され、前記摺動軸６０は前記制動棒７０と摺動可能に連結され、左右両側の前記制動棒７０において対称中心から離れた一端と前記制動空間３９の左右両側内壁との間にはそれぞれ圧縮ばね５９が連結され、前記水平移動ブロック６４の後側端面には横棒６９が固定的に連結され、前記横棒６９は二本の前記回転棒５８の間に位置し、前記横棒６９には固定軸６５が固定的に連結され、前記固定軸６５には楕円ブロック６６が摺動可能に連結され、前記固定軸６５には位置制限ブロック６８が固定的に連結され、前記位置制限ブロック６８は前記楕円ブロック６６の上側に位置し、前記位置制限ブロック６８と前記楕円ブロック６６との間には軽量ばね６７が連結され、前記回転棒５８には連結棒５５がヒンジで連結され、前記連結棒５８は前記回転ブロック５７において対称中心に近接する側に位置し、前記連結棒５５において対称中心に近接する一端には推動棒５４が固定的に連結され、前記推動棒５４は前記楕円ブロック６６と当接でき、前記連結棒５５の上端にはハウジング連結棒５３がヒンジで連結され、前記ハウジング連結棒５３の上端と前記制動空間３９の上側内壁とは回転可能に連結され、前記滑車６３と前記昇降棒３７とが協働することで前記吊籠１１の昇降をより安定にさせられ、前記軽量ばね６７の作用のもとで、前記吊籠１１が正常に昇降するときに、前記楕円ブロック６６を駆動して上下に移動させることができなく、前記緊急制動装置１０２は前記制動棒７０を通じて前記制動ブロック６１を駆動して対称中心に近接する側へ移動させ、かつ前記制動ブロック６１に前記昇降棒３７と当接させることで、落下時の減速制動を可能にする。
【００２１】
実施例に基づき、以下に連動装置１０３について詳しく説明し、
前記連動装置１０３は前記倉庫７１の前側内壁に回転可能に連結されたプーリ軸２３を含み、前記プーリ軸２３は後方へ前記倉庫７１の端面外に延在し、前記プーリ軸２３には吊籠門４２が固定的に連結され、前記吊籠門４２は前記倉庫７１の開口部に位置し、前記プーリ軸２３には前記吊籠門４２の後側に位置するプーリ２４が固定的に連結され、前記プーリ４２は前記動力空間１２の中に位置し、前記プーリ２４と前記Ｖ型プーリ４０との間にはＶ型ベルト１８が連結され、前記プーリ軸２３には前記プーリ２４の後側に位置するクランク１９が固定的に連結され、前記クランク１９には摺動ピン４１が固定的に連結され、前記動力空間１２の後側内壁にはレバー２０が回転可能に連結され、前記レバー２０は前記クランク１９の後側に位置し、前記レバー２０には摺動溝２１が前後貫通するように形成され、前記摺動溝２１は前記摺動ピン４１と摺動可能に連結され、前記連動装置１０３は前記Ｖ型ベルト１８を通じて前記プーリ２４と前記レバー２０とを駆動して運動させ、そして前記位置固定装置１０１による動力を前記保険装置１０４に伝達できる。
【００２２】
実施例に基づき、以下に保険装置１０４について詳しく説明し、
前記保険装置１０４は摺動台２６を含み、前記摺動台２６は前記動力空間１２の左側内壁に固定的に連結され、かつ前記倉庫７１の後側に位置し、前記動力空間１２の後側内壁には前後方向に延在する滑車軸３６が回転可能に連結され、前記滑車軸３６は前記摺動台２６の右側に位置し、前記滑車軸３６には第二滑車３５が固定的に連結され、前記第二滑車３５にはロープ３４が巻かれ、前記ロープ３４は前記動力空間１２の上側端面外に延在し、前記摺動台２６には摺動ブロック２７が摺動可能に連結され、前記摺動ブロック２７と前記動力空間１２の左側内壁との間には復位ばね２８が連結され、前記摺動ブロック２７の前側端面には円柱ピン２９が固定的に連結され、前記円柱ピン２９は前記レバー２０の上端と当接でき、前記摺動ブロック２７の右側端面には爪３０が固定的に連結され、前記爪３０は前記摺動台２６と摺動可能に連結され、前記爪３０の上側端面には前後対称の二本のコンロッド３１がヒンジで連結され、前記コンロッド３１の右端には挟持棒３２がヒンジで連結され、二本の前記挟持棒３２の中部は一点にヒンジで連結され、かついずれも前記動力空間１２の上側内壁と回転可能に連結され、前記挟持棒３２の右端には停止ブロック３３が固定的に連結され、前記停止ブロック３３は前記ロープ３４と当接して前記ロープ３４の移動を制限でき、前記保険装置１０４は前記爪３０を通じて前記コンロッド３１と前記挟持棒３２とを駆動して回転させ、そして前記停止ブロック３３に前記ロープ３４と当接させ、前記吊籠１１の昇降を制限することを可能にする。
【００２３】
好ましくは、運搬員が前記倉庫７１から建材を運び出すとき、前記停止ブロック３３は前記ロープ３４の移動を制限することで、前記吊籠１１の昇降を制限し、リフト操縦員の誤操作による運搬員の死傷を有効的に避けられる。
【００２４】
実施例に基づき、以下に落下防止装置１０５について詳しく説明し、
前記落下防止装置１０５は突起台５２を含み、前記突起台５２は前記動力空間１２の前側内壁に固定的に連結され、かつ前記モータ軸１７の下側に位置し、前記突起台５２には固定筒５０が固定的に連結され、前記推動ブロック４９と前記固定筒５０の内壁とは摺動可能に連結され、前記推動ブロック４９と前記固定筒５０の下側内壁との間には引張ばね５１が連結され、前記摺動筒４８と前記モータ軸１７とは摺動可能に連結され、前記摺動筒４８は前記スプライン軸４３とスプラインで連結することができ、前記摺動筒４８には前記ラチェット４４の前側に位置する固定リング４７が固定的に連結され、前記ラチェット４４と前記固定リング４７との間には捻りばね４６が連結され、前記動力空間１２の前側内壁にはラチェット棒４５が固定的に連結され、前記ラチェット棒４５は前記モータ軸１７の上側に位置し、かつ前記ラチェット４４と当接でき、前記引張ばね５１の作用のもとで、前記吊籠１１が正常に昇降するときに、前記推動ブロック４９を駆動して上下に移動させることができなく、前記落下防止装置１０５は前記推動ブロック４９を通じて前記摺動筒４８を押して移動させ、そしてラチェット４４を回転させ、かつ前記位置固定装置１０１を駆動して作動させ、落下防止機能を果たす。
【００２５】
以下に図１〜図６を合わせ、本願発明の使用手順について詳しく説明する。
【００２６】
はじめに、円錐盤１５はまだ位置固定棒１３と位置固定短棒７４と当接していなく、位置固定棒１３と位置固定短棒７４とはまだ昇降塔７２と当接していなく、吊籠門４２は鉛直状態にあり、摺動ブロック２７は右限界位置にあり、停止ブロック３３はまだロープ３４の運動を制限していなく、水平移動ブロック６４と楕円ブロック６６とは下限界位置にあり、ハウジング連結棒５３と連結棒５５とは平行状態にあり、回転棒５８は水平状態にある。
【００２７】
吊籠１１が指定高度まで昇降したあと、モータ７３を作動させてモータ軸１７を駆動して回転させ、モータ軸１７は円錐盤１５を下方へ押し、円錐盤１５は位置固定棒１３と位置固定短棒７４を押して対称中心から離れた側へ出し、位置固定棒１３と位置固定短棒７４とが昇降塔７２と当接することで、吊籠１１の位置固定を可能にし、同時にモータ軸１７はＶ型プーリ４０と、Ｖ型ベルト１９と、プーリ２４とを通じてプーリ軸２３を駆動して回転させ、プーリ軸２３は吊籠門４２を駆動して左方へ回転させて水平状態にさせ、そして作業員が倉庫７１から建材を運び出すことができ、同時にプーリ軸２３にあるクランク１９は摺動ピン４１を通じて円柱ピン２９と、摺動ブロック２７と、爪３０とを駆動して左方へ移動させ、二本の挟持棒３２はヒンジ連結部が動力空間１２に制限されて移動できないため、爪３０はコンロッド３１と挟持棒３２と停止ブロック３３とを駆動して対称中心に近接する側へ回転させ、停止ブロック３３はロープ３４と当接してロープ３４の運動を制限し、そして作業員が運搬するときに、吊籠１１の昇降は制限され、運搬が終わったあとに、モータ７３が逆回転し、カム１６と吊籠門４２とを復位させ、ばね７５と、推力ばね１４と、復位ばね２８とはそれぞれ位置固定棒１３と、位置固定短棒７４と、円錐盤１５と、摺動ブロック２７とを復位させ、そして設備全体が復位し、ロープ３４が折れたとき、慣性によって水平移動ブロック６４と楕円ブロック６６は上方へ移動し、推動棒５４を押して対称中心から離れた側へ移動させ、ハウジング連結棒５３と連結棒５５とが回転棒５８に対する位置制限を解除し、そして水平移動ブロック６４は慣性によってさらに上方へ移動し、回転棒５８と、回転ブロック５７と、制動棒７０とを通じて制動ブロック６１を駆動して対称中心から離れた側へ移動させ、制動ブロック６１と昇降棒３７とが当接して吊籠１１に対する制動を可能にし、そして吊籠１１の降下速度は遅くなり、同時に慣性によって、推動ブロック４９は上方へ移動して摺動筒４８を押して後方へ移動させ、摺動筒４８の一部はスプライン軸４３に入り、ラチェット４４はラチェット棒４５との当接から離脱し、捻りばね４６はラチェット４４を駆動して回転させ、ラチェット４４は摺動筒４８とスプライン軸４３とを通じてモータ軸１７を駆動して回転させ、そしてカム１６は駆動されて回転し、円錐盤１５は圧迫され、さらに位置固定棒１３と位置固定短棒７４とを作動させて昇降塔７２と当接させ、落下防止機能を果たす。
【００２８】
本願発明は以下のプラス効果を有する：本願発明は緊急制動機構と昇降塔に固定された昇降鋼管との協働で、吊籠が昇降するときの偏移を制限し、吊籠の傾倒を避け、リフトが作動するときの安定性を向上させ、連動保険装置は吊籠門が開けたあとに、自動的にワイヤーの移動を制限でき、かつ吊籠の昇降を制限でき、そのため、有効的にリフトの誤作動による運搬員の死傷を避けられ、ワイヤーが折れたあと、緊急制動機構は昇降鋼管を固定することで制動を可能にし、同時に落下防止機能は位置固定装置を強制的に作動させ、吊籠がさらに落下することを避け、明らかに、本願発明はリフトの安定性と安全性を向上させられる。
【００２９】
以上の方式により、当該分野の従業員は本願発明の範囲内で作業状況に応じて様々な改変を加えることができる。
【要約】      （修正有）【課題】本願は建材用リフトの安全型位置固定設備を提供する。【解決手段】本願は建材用リフトの安全型位置固定設備を開示し、吊籠１１を含み、吊籠１１の中には動力空間１２が設置され、吊籠１１の中には建材を収納できる倉庫７１が設置され、倉庫７１は左方に開口し、かつ動力空間１２の上側に位置し、動力空間の中には位置固定装置１０１が設置され、緊急制動機構と昇降塔７２に固定された昇降鋼管との協働で、吊籠１１が昇降するときの偏移を制限し、吊籠１１の傾倒を避け、リフトが作動するときの安定性を向上させ、連動保険装置は吊籠門４２が開けたあとに、自動的にワイヤーの移動を制限でき、かつ吊籠１１の昇降を制限でき、そのため、有効的にリフトの誤作動による運搬員の死傷を避けられる。【選択図】図１【図１】
0006754047.tif 000002
【図２】
0006754047.tif 000003
【図３】
0006754047.tif 000004
【図４】
0006754047.tif 000005
【図５】
0006754047.tif 000006
【図６】
0006754047.tif 000007